【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
所定の移動方向に走行する電気絶縁性シートの第１の面に塗液を塗布する塗布装置であって、前記第１の面に静電荷を付与するシート帯電装置と、該シート帯電装置の前記移動方向における下流に配置され、前記塗液を前記第１の面に供給する第１の面の塗液供給装置とを備え、前記シート帯電装置は、前記第１の面の塗液供給装置により前記第１の面に供給される際の前記塗液の帯電極性と同極性の静電荷を前記第１の面に付与するように設けられている電気絶縁性シートの塗布装置。
【請求項２】
所定の移動方向に走行する電気絶縁性シートの第１の面に塗液を塗布する塗布装置であって、前記塗液を前記第１の面に供給する第１の面の塗液供給装置と、前記第１の面に供給される前の前記塗液に静電荷を付与する塗液帯電装置とを備え、該塗液帯電装置は、前記第１の面の塗液供給装置により前記第１の面に前記塗液が供給される際の前記第１の面の帯電極性と同極性の静電荷を前記塗液に付与するように設けられている電気絶縁性シートの塗布装置。
【請求項３】
所定の移動方向に走行する電気絶縁性シートの第１の面に塗液を塗布する塗布装置であって、前記電気絶縁性シートに所定の極性の静電荷を付与するシート帯電装置と、前記塗液を前記第１の面に供給する第１の面の塗液供給装置と、前記第１の面に供給される前の前記塗液に前記所定の極性と同じ極性の静電荷を付与する塗液帯電装置とを備えている電気絶縁性シートの塗布装置。
【請求項４】
前記第１の面の塗液供給装置の前記移動方向における上流に配置され、前記電気絶縁性シートの第２の面に、体積抵抗率１０９［Ω・ｃｍ］以下の塗液を供給する第２の面の塗液供給装置が設けられている請求項１乃至３のいずれかに記載の電気絶縁性シートの塗布装置。
【請求項５】
前記第１の面の塗液供給装置の前記移動方向における上流に配置され、前記電気絶縁性シートの第２の面に、水を含む塗液を供給する第２の面の塗液供給装置が設けられている請求項１乃至３のいずれかに記載の電気絶縁性シートの塗布装置。
【請求項６】
前記第１の面の塗液供給装置の前記移動方向における下流に配置され、前記第１の面の塗液供給装置から前記第１の面に供給された塗液が所定の塗布厚みの塗液層を形成するように前記塗液を平滑化する第１の面の塗液層平滑化装置が設けられている請求項１乃至３のいずれかに記載の電気絶縁性シートの塗布装置。
【請求項７】
前記第１の面の塗液層平滑化装置は、塗工バー方式、グラビアロールコート方式、および、ダイ方式のいずれかの方式に基づく塗液層平滑化装置である請求項６に記載の電気絶縁性シートの塗布装置。
【請求項８】
前記第1の面は、重力の方向について上側に存在する面であり、前記移動方向および前記電気絶縁性シートの法線方向に直交する方向において、前記第1の面に、前記第１の面の塗液供給装置から塗液を供給し、前記第１の面の塗液層平滑化装置は、塗工バー方式に基づく塗液層平滑化装置である請求項７に記載の電気絶縁性シートの塗布装置。
【請求項９】
前記シート帯電装置は、１個以上の帯電ユニットを有し、該帯電ユニットは、前記電気絶縁性シートを挟んで対向して配置され、前記電気絶縁性シートの第１の面側に配置された第１の電極ユニットと、前記電気絶縁性シートの第２の面側に配置された第２の電極ユニットとを有し、前記第１の電極ユニットは、第１のイオン生成電極を有し、前記第２の電極ユニットは、第２のイオン生成電極を有し、前記第１のイオン生成電極に印加される電圧と前記第２のイオン生成電極に印加される電圧とは、互いに実質的に逆極性の直流電圧である請求項１あるいは３に記載の電気絶縁性シートの塗布装置。
【請求項１０】
前記第１の電極ユニットは、前記第１のイオン生成電極の近傍に配置され開口部を有する第１のシールド電極を有し、かつ、前記第２の電極ユニットは、前記第２のイオン生成電極の近傍に配置され開口部を有する第２のシールド電極を有する請求項９に記載の電気絶縁性シートの塗布装置。
【請求項１１】
前記塗布装置の前記移動方向における下流に、前記移動方向に間隔をおいて設けられた少なくとも２個の除電ユニットからなる電気絶縁性シートの除電装置を有し、前記除電ユニットのそれぞれは、前記電気絶縁性シートを挟んで対向して前記電気絶縁性シートの第１の面側に配置された第３の電極ユニットと第２の面側に配置された第４の電極ユニットとを有し、前記第３の電極ユニットは、第３のイオン生成電極と該第３のイオン生成電極の先端近傍に開口部を有する第３のシールド電極とを有し、前記第４の電極ユニットは、第４のイオン生成電極と該第４のイオン生成電極の先端近傍に開口部を有する第４のシールド電極とを有し、前記第３のイオン生成電極に印加される電圧と前記第４のイオン生成電極に印加される電圧とは、互いに実質的に逆極性の交流電圧である請求項１乃至１０のいずれかに記載の電気絶縁性シートの塗布装置。
【請求項１２】
前記第１の面の塗液供給装置は、前記塗液を貯蔵する貯蔵タンクと、前記塗液を前記第１の面に吐出する吐出手段と、前記貯蔵タンクから前記吐出手段に前記塗液を供給するポンプと、前記貯蔵タンク、前記吐出手段および前記ポンプの間で前記塗液を搬送する塗液供給配管とを備え、前記塗液供給配管は、前記第１の面に前記塗液が供給される際に、前記第１の面の帯電極性と反対極性に帯電されている請求項２あるいは３に記載の電気絶縁性シートの塗布装置。
【請求項１３】
所定の移動方向に走行する電気絶縁性シートの第１の面に塗液を塗布し、該第１の面に、塗布された塗液からなる塗膜を形成してなる塗膜付電気絶縁性シートの製造方法であって、前記第１の面に前記塗液を塗布する際における、前記第１の面の帯電極性と前記塗液の帯電極性とを同極性とする塗膜付電気絶縁性シートの製造方法。
【請求項１４】
所定の移動方向に走行する電気絶縁性シートの第１の面に塗液を塗布し、該第１の面に、塗布された塗液からなる塗膜を形成してなる塗膜付電気絶縁性シートの製造方法であって、前記第１の面に前記塗液を塗布する前に、前記第１の面を、前記塗液の帯電極性と同極性に強制的に帯電させる塗膜付電気絶縁性シートの製造方法。
【請求項１５】
所定の移動方向に走行する電気絶縁性シートの第１の面に塗液を塗布し、該第１の面に、塗布された塗液からなる塗膜を形成してなる塗膜付電気絶縁性シートの製造方法であって、前記第１の面に前記塗液を塗布する前に、前記塗液を、前記第１の面の帯電極性と同極性に強制的に帯電させる塗膜付電気絶縁性シートの製造方法。
【請求項１６】
所定の移動方向に走行する電気絶縁性シートの第１の面に塗液を塗布し、該第１の面に、塗布された塗液からなる塗膜を形成してなる塗膜付電気絶縁性シートの製造方法であって、前記第１の面に前記塗液を塗布する前に、前記塗液と前記第１の面とをそれぞれ同極性に強制的に帯電させる塗膜付電気絶縁性シートの製造方法。
【請求項１７】
前記第１の面に前記塗液を塗布する前に、前記電気絶縁性シートの第２の面に、体積抵抗率１０９［Ω・ｃｍ］以下の塗液を塗布する請求項１３乃至１６のいずれかに記載の塗膜付電気絶縁性シートの製造方法。
【請求項１８】
前記第１の面に前記塗液を塗布する前に、前記電気絶縁性シートの前記第２の面に、水を含む塗液を塗布する請求項１３乃至１６のいずれかに記載の塗膜付電気絶縁性シートの製造方法。
【請求項１９】
前記電気絶縁性シートの架空時電位の極性を、前記塗液の帯電極性と同極性にする請求項１３乃至１６のいずれかに記載の塗膜付電気絶縁性シートの製造方法。
【請求項２０】
前記電気絶縁性シートの第２の面を、前記第１の面とは反対極性に帯電させる請求項１３乃至１６のいずれかに記載の塗膜付電気絶縁性シートの製造方法。
【請求項２１】
前記電気絶縁性シートに対し１個以上の帯電ユニットが設けられ、該帯電ユニットは、前記電気絶縁性シートの法線方向において、前記電気絶縁性シートを挟んで対向配置された前記電気絶縁性シートの第１の面側に位置する第１のイオン生成電極と第２の面側に位置する第２のイオン生成電極とからなり、前記第１および第２のイオン生成電極に、時間的に極性が変化しない直流電圧を印加することにより、前記電気絶縁性シートに、前記第1の面側から時間的に極性が変化しない単一極性の第1のイオン雲を照射し、前記第２の面側から前記第1のイオン雲と実質的に逆極性の単一極性の第２のイオン雲を、前記第1のイオン雲の照射と同時に照射して、前記電気絶縁性シートを帯電させる請求項１３乃至１６のいずれかに記載の塗膜付電気絶縁性シートの製造方法。
【請求項２２】
前記電気絶縁性シートに前記塗液を塗布した後、前記移動方向における下流側において、前記第１の面を除電する請求項１３乃至１６のいずれかに記載の塗膜付電気絶縁性シートの製造方法。
【請求項２３】
前記塗布後の電気絶縁性シートの除電は、前記電気絶縁性シートに対し、前記移動方向に間隔をおいて少なくとも２個の除電ユニットが設けられ、該除電ユニットは、前記電気絶縁性シートの法線方向において、前記電気絶縁性シートを挟んで対向配置された前記電気絶縁性シートの第１の面側に位置する第３のイオン生成電極および第２の面側に位置する第４のイオン生成電極からなり、前記第３および第４のイオン生成電極に、時間的に滑らかに極性が変化する交流電圧を印加することにより、前記電気絶縁性シートに、前記第1の面側から、時間的に極性が変化する単一極性の第1のイオン雲を照射し、前記電気絶縁性シートに、前記第２の面側から、前記第1のイオン雲と実質的に逆極性の単一極性の第２のイオン雲を、前記第1のイオン雲の照射と同時に照射する請求項２２に記載の塗膜付電気絶縁性シートの製造方法。